(57)【特許請求の範囲】
【請求項１】
精米機構部の機枠内に突き出した搗精ロールに精米スクリーンを嵌合し、その精米スクリーンの排出口にスクリーン押さえ板を固着し、該スクリーン押さえ板を上記機枠に着脱自在に取付けた精米機の精米スクリーン取付け構造において、上記スクリーン押さえ板の上部にスリットを設けるとともに、そのスリットに嵌合するガイド部を上記機枠に設け、上記スリットに設けた係合部を上記ガイド部より内方に設けた係合受け部に係脱自在に係合させ、上記スクリーン押さえ板の両側部に設けた係合凹部を、上記機枠の左右両側部に設けた回動自在の押さえフックに係合し、その押さえフックの一部を上記スクリーン押さえ板の前面に押圧して該スクリーン押さえ板を上記機枠に固定したことを特徴とする精米機の精米スクリーン取付け構造。
【請求項２】
上記のスリットに設けた係合部が、該スリットの上部内縁の左右２ヵ所に設けた係合凸部により形成され、上記のガイド部が上記機枠に固定した固定板の前縁に形成され、さらに、上記機枠に設けた係合受け部が該固定板に設けた係合孔により形成されたことを特徴とする請求項１に記載の精米機の精米スクリーン取付け構造。
【請求項３】
上記ガイド部を上記機枠の前縁から前方に突き出し、かつ下方に傾斜して形成したことを特徴とする請求項２に記載の精米機の精米スクリーン取付け構造。
【請求項４】
上記押さえフックに、これを上記機枠の前面に押圧するばね力を付与したことを特徴とする請求項１から３のいずれかに記載の精米機の精米スクリーン取付け構造。
【発明の詳細な説明】
【０００１】
【発明の属する技術分野】
この発明は、一般家庭等において使用される簡易な精米機に関し、その精米スクリーンの取付け構造に関するものである。
【０００２】
【従来の技術】
一般家庭用の簡易な精米機においては、精米機構部の機枠内に突き出した搗精ロールに精米スクリーンを嵌合し、その精米スクリーンの排出口にスクリーン押さえ板を固着し、該スクリーン押さえ板を上記機枠に着脱自在に取付ける構造が採用される。この場合、スクリーン押さえ板を機枠に着脱自在に取付けたために、ねじ止めによる固定手段、或いは樹脂の弾力を利用したフック構造による固定手段が採用されていた。
【０００３】
【発明が解決しようとする課題】
スクリーン押さえ板は、手入れ時において一般使用者により取外され、手入れの完了後は取付けられるものであるので、ねじによる固定手段は煩わしさが伴う問題がある。フック構造によるものは、いわゆるワンタッチで着脱できる便利さがあるが、樹脂の弾性を利用するものであるため、固定力が十分に得られない問題があった。
【０００４】
そこで、この発明は、着脱が容易にでき、しかも十分な固定力を有する取付け構造を提供することを課題とする。
【０００５】
【課題を解決するための手段】
上記の課題を解決するために、この発明は、精米機構部の機枠内に突き出した搗精ロールに精米スクリーンを嵌合し、その精米スクリーンの排出口にスクリーン押さえ板を固着し、該スクリーン押さえ板を上記機枠に着脱自在に取付けた精米機の精米スクリーン取付け構造において、上記スクリーン押さえ板の上部にスリットを設けるとともに、そのスリットに嵌合するガイド部を上記機枠に設け、上記スリットに設けた係合部を上記ガイド部より内方に設けた係合受け部に係脱自在に係合させ、上記スクリーン押さえ板の両側部に設けた係合凹部を、上記機枠の左右両側部に設けた回動自在の押さえフックに係合し、その押さえフックの一部を上記スクリーン押さえ板の前面に押圧して該スクリーン押さえ板を上記機枠に固定した構成を採用した。
【０００６】
上記の構成によると、スクリーン押さえ板は、スリットの部分における係合部と、機枠側の係合受け部の係合により上下左右方向に位置決めされ、さらに、押さえフックにより前面から機枠に押し当てられるので、スクリーン押さえ板は、強固に固定されるとともに、着脱の操作はねじを用いないので容易に行うことができる。
【０００７】
上記のスリットに設けた係合部が、該スリットの上部内縁の左右２ヵ所に設けた係合凸部により形成され、上記のガイド部が上記機枠に固定した固定板の前縁に形成され、さらに、上記機枠に設けた係合受け部が該固定板に設けた係合孔により形成された構成を採ることができる。
【０００８】
上記ガイド部を上記機枠の前縁から前方に突き出し、かつ下方に傾斜して形成した構成を採ることができる。スクリーン押さえ板の前記のスリットに嵌合させることにより、スクリーン押さえ板を確実に機枠側に係合させることができる。
【０００９】
上記押さえフックに、これを上記機枠の前面に押圧するばね力を付与した構成を採ることができる。
【００１０】
【発明の実施の形態】
以下、この発明の実施形態を添付図面に基づいて説明する。図１に示すように、この精米機は、精米機本体１と、その上に着脱自在に設置された計量米びつ２とからなる計量米びつ付き精米機である。
【００１１】
精米機本体１及び計量米びつ２は、幅面より側面が前後方向に長い偏平形状をなし、収納空間の有効利用を考慮した形状になっている。精米機本体１は、前面上部に、運転のスタート・ストップボタン３、精米度調整ダイヤル４を備え、下部の引き出し式の収納ケース５の内部に米受け容器６、ぬか受け容器７が収納されている。精米器本体１の内部においては、図２に示すように、上部にホッパー８が設けられ、その下部に精米機構部９が設けられる。
【００１２】
米びつ２は、上部に蓋１１が被せられ、内底部に外部から操作可能な計量排出器１２が設けられ、その計量排出器１２の下部に投入口セット１３が設けられる。投入口セット１３は精米機本体のホッパー８の上部に臨む。この投入口セット１３は再精米時に使用されるものであり、図２に２点鎖線で示すように、投入用ホッパー１４を引き出せるようになっている。
【００１３】
精米機構部９は、駆動軸１５（図２参照）に連結された搗精ロール１６に角筒状の精米スクリーン１７を被せたものである。精米スクリーン１７の後端部に前記のホッパー８に接続された供給口１８が設けられ、またその精米スクリーン１７の前端部がスクリーン押さえ板２０により押さえられ、精白米の排出口１９がスクリーン押さえ板２０の前面に開放される。その排出口１９は外部から抵抗板２１により接離自在に閉鎖される。
【００１４】
上記のスクリーン押さえ板２０の前面に精米度調整兼残米処理装置（以下、単に調整装置２３という）が取付けられ、その調整装置２３のカバーケース２４に設けた取付け部２６’（図３、図４参照）の下部に精白米の排出シュート２２が着脱自在に取付けられる。
【００１５】
前記のスクリーン押さえ板２０は、図４に示すように、精米スクリーン２０の排出口の六角形状に合致する孔が設けられ、その孔に該排出口の端部を嵌入して溶接により一体化されている。このスクリーン押さえ板２０の前面に、前述の調整装置２３の取付け部２６’を当て、ビス２５により固定している。上記の精米スクリーン１７、スクリーン押さえ板２０及び調整装置２３のアッセンブリは、精米機構部９の機枠２６内にその前面から挿入され、精米スクリーン１７を搗精ロール１６の周りに嵌着し、その後端部を供給口１８の下方の機枠２６の一部で支持させる。
【００１６】
スクリーン押さえ板２０の上部には水平方向のスリット２７が設けられる。そのスリット２７の上部内縁に左右２ヵ所の係合凸部２８が設けられる。また、そのスリットの両端部に、後述のガイド部３２の両端部に形成された小凸部３３、３３に嵌合する小凹部３４、３４が設けられる。さらに、スクリーン押さえ板２０の両側辺に半円状の係合凹部２９、２９が設けられる。
【００１７】
一方、機枠２６の上面に固定板３１が複数のビス３５により固定され、その固定板３１の前縁を該機枠２６の前縁から前方に若干突き出し、さらに下方に傾斜させてガイド部３２を形成している。このガイド部３２は、前記のスリット２７に嵌入できるように形成される。また、そのガイド部３２の内方において、固定板３１に左右一対の係合孔３６が設けられる。この係合孔３６は、前記の小凸部３３、３３と同じ並びに形成される。
【００１８】
また、上記機枠２６の前面両側部に部分的に盛り上がった取付け部３７、３７が設けられ、その前面に押さえフック３８、３８が、それぞれボルト３９により回動自在に取付けられる。各押さえフック３８は、図６に示すように、ボス４０の周りにハンドル４１を一体に設けたものである。ハンドル４１の後端面にボス４０の中心方向と直角の押さえ面４２が形成され、その押さえ面４２の下端部に傾斜したガイド面４３が形成される。上記のボス４０に挿通され、取付け部３７に螺入された前記のボルト３９にばね４４が介装され、押さえフック３８を取付け部３７の前面に押圧する（図６（ｂ）参照）。
【００１９】
なお、上記の傾斜したガイド面４３が乗り上げる傾斜ガイド面４５が、スクリーン押さえ板２０の前記の係合凹部２９の下部に形成される。
【００２０】
前記の調圧装置２３、スクリーン押さえ板２０、精米スクリーン１７のアッセンブリを機枠２６に取付ける際は、精米スクリーン１７を搗精ロール１６に嵌着させ、その精米スクリーン１７の後端部を機枠２６の内部に位置決めし、スクリーン押さえ板２０のスリット２７をガイド部３２に嵌入させる。このとき、スリット２７の係合凸部２８をガイド部３２の傾斜面に滑らせて押し込むと、その係合凸部２８が係合孔３６に落ち込み、これと同時に、小凸部３３がスリット２７の小凹部３４に嵌入し、スクリーン押さえ板２０の上下方向及び左右方向のがたつきがなくなる。また、スクリーン押さえ板２０の左右の各係合凹部２９を押さえフック３８の嵌合させる。この状態でスクリーン押さえ板２０は機枠２６の前面に当たる。
【００２１】
次に、押さえフック３８のハンドル４１を下方に回動させると（図５（ａ）参照）、そのガイド面４３がスクリーン押さえ板２０の傾斜ガイド面４５に当接し（図６（ｃ）の実線参照）、さらに下方まで回動させると押さえフック３８がばね４４の力で押し出されながらスクリーン押さえ板２０の前面に押し当てられる。これにより、スクリーン押さえ板２０は、機枠２６の前面に強固に固定される。手入れ時等において前記のアッセンブリを取外す場合は、上記と逆の手順による。
【００２２】
なお、前記の調圧装置２３は、図３に示すように、カバーケース２４の前面に前述のダイヤル４が設けられ、その後端部の突起を調圧ロール４８のハイリードのねじ４９に係合させている。またその後方において同軸状態に組み合わされたスライド部材５０が前記抵抗板２１に連結され、そのスライド部材５０と調圧ロール４８の間に調圧ばね５１を介在している。ダイヤル４７を操作すると、調圧ロール４８が進退し、調圧ばね５１を伸縮させることにより抵抗板２１に対する押圧力が調整される。
【００２３】
【発明の効果】
以上のように、この発明によれば、スクリーン押さえ板は、機枠に対して上下左右に係合され、さらにその後面を機枠に当てた状態で押さえフックにより前面から所要の押圧力で押圧されるので、強固に固定される。また、スクリーン押さえ板は、機枠に対する係合と、押さえフックの回動操作のみで固定することができ、ねじを用いないので着脱の操作を容易に行うことができる。
【図面の簡単な説明】
【図１】実施形態の精米機の斜視図
【図２】同上の一部省略断面図
【図３】同上の一部省略断面図
【図４】同上の一部分解斜視図
【図５】（ａ）同上の調整装置の縦断正面図
（ｂ）（ａ）図のｂ−ｂ線の断面図
【図６】（ａ）押さえフックの斜視図
（ｂ）押さえフックの取付け状態の断面図
（ｃ）押さえフックの作用図
【符号の説明】
１  精米機本体
２  米びつ
３  スタート・ストップボタン
４  精米度調整ダイヤル
５  収納ケース
６  米受け容器
７  ぬか受け容器
８  ホッパー
９  精米機構部
１１  蓋
１２  計量排出器
１３  投入口セット
１４  投入用ホッパー
１５  駆動軸
１６  搗精ロール
１７  精米スクリーン
１８  供給口
１９  排出口
２０  スクリーン押さえ板
２１  抵抗板
２２  排出シュート
２３  調整装置
２４  カバーケース
２５  ビス
２６  機枠
２６’  取付け部
２７  スリット
２８  係合凸部
２９  係合凹部
３１  固定板
３２  ガイド部
３３  小凸部
３４  小凹部
３５  ビス
３６  係合孔
３７  取付け部
３８  押さえフック
３９  ボルト
４０  ボス
４１  ハンドル
４２  押さえ面
４３  ガイド面
４４  ばね
４５  傾斜ガイド面
４８  調圧ロール
４９  ねじ
５０  スライド部材
５１  調圧ばね
【図１】
0003645161.tif 000002
【図２】
0003645161.tif 000003
【図３】
0003645161.tif 000004
【図４】
0003645161.tif 000005
【図５】
0003645161.tif 000006
【図６】
0003645161.tif 000007